(57)【特許請求の範囲】
【請求項１】
便器本体に洗浄水を供給する便器洗浄装置であって、
洗浄水が流入し、流入した洗浄水を貯留する第１タンクと、
前記第１タンクの下部から洗浄水が流入する流入口、及びこの流入口より上方に設け、前記便器本体に連通する流出口を有しており、前記便器本体に洗浄水を供給する際、前記第１タンクから前記流入口を介して空気が流入しない状態では前記第１タンク内の洗浄水の水圧の影響を受けて、洗浄水を満水状態に維持する第２タンクと、
この第２タンク内に前記流出口と隙間を空けて対向する位置に配置し、前記流出口に向けて洗浄水を噴射する噴射ノズルを有するジェットポンプ機構と、
前記流出口と前記便器本体とを連通する便器給水路とを備えていることを特徴とする便器洗浄装置。
【請求項２】
前記流出口は前記第２タンクの上部に貫設し、前記噴射ノズルは前記第２タンク内の上部に設けられていることを特徴とする請求項１記載の便器洗浄装置。
【請求項３】
前記噴射ノズルは、前記第１タンクから前記流入口を介して前記第２タンク内に空気が流入し、前記第２タンク内の水位が低下するまで洗浄水を噴射することを特徴とする請求項１又は２記載の便器洗浄装置。
【請求項４】
前記第１タンクから前記流入口を介して前記第２タンクに空気が流入を開始する水位を変更することができる請求項３記載の便器洗浄装置。
【請求項５】
前記第１タンクの下部と前記噴射ノズルとを連通する連通路と、この連通路に設けられ、前記第１タンク内に貯留した洗浄水を前記噴射ノズルへ送水する送水機構とを備えていることを特徴とする請求項１乃至４のいずれか１項記載の便器洗浄装置。
【請求項６】
便器本体と、請求項１乃至５のいずれか１項記載の便器洗浄装置とを備えていることを特徴とする水洗式便器。
【発明の詳細な説明】
【技術分野】
【０００１】
本発明は便器洗浄装置及び水洗式便器に関する。
【背景技術】
【０００２】
特許文献１には従来の便器洗浄装置が開示されている。この便器洗浄装置は、洗浄タンク、ジェットポンプ機構、容器、及び便器給水路を備えている。洗浄タンクは流入した洗浄水を貯留する。ジェットポンプ機構は、噴射ノズル、及び噴射ノズルと隙間を空けて対向する位置に配置したスロートを有しており、洗浄タンクに貯留した洗浄水に水没するように配置している。容器は、ジェットポンプ機構を取り囲み、上端が開放している。この容器の上端は洗浄タンクに貯留した洗浄水の最高水位よりも低い位置に形成している。また、この容器は、側面を貫設した開口と、この開口を開閉する開閉蓋とを有している。便器給水路はジェットポンプ機構と便器本体とを連通する。
【０００３】
この便器洗浄装置は、噴射ノズルから洗浄水を噴射すると、容器内の洗浄水を引き込んで、スロートに流入する。このため、便器給水路を経由して便器本体に供給する洗浄水は、噴射ノズルから噴射する洗浄水に引き込まれた洗浄水が加わるため、流量（単位時間当たりに供給する水量、以下同じ。）を多くすることができる。
【０００４】
また、この便器洗浄装置は、容器の側面を貫設した開口を開閉蓋によって開閉することによって、便器本体に供給する洗浄水の水量を増減することができる。つまり、容器の側面に貫設した開口を開放した状態では、開口を介して容器外に貯留した洗浄水が容器内に流入することができる。このため、容器外に貯留した洗浄水もジェットポンプ機構によって引き込むことができ、便器給水路を経由して便器本体に供給することができる。
【０００５】
一方、容器の側面に貫設した開口を開閉蓋によって閉鎖した状態では、洗浄タンク内の洗浄水の水位が容器の上端と等しくなると、その時点で容器外の洗浄水は容器内に流入することができない。このため、洗浄タンク内の洗浄水の水位が容器の上端と等しくなった後は、容器内の洗浄水のみがジェットポンプ機構によって引き込まれ、便器給水路を経由して便器本体に供給される。このように、容器の側面に貫設した開口を開放した状態で便器本体に洗浄水を供給する際に比べ、開口を開閉蓋で閉鎖した状態で便器本体に洗浄水を供給する方が便器本体に洗供給される浄水の水量が少なくなる。このため、この便器洗浄装置は大洗浄と小洗浄とを実行することができる。
【先行技術文献】
【特許文献】
【０００６】
【特許文献１】特開２００４−１５６３８２号公報
【発明の概要】
【発明が解決しようとする課題】
【０００７】
しかし、特許文献１の便器洗浄装置では、洗浄タンク内の洗浄水をジェットポンプ機構によって引き込むためには、ジェットポンプ機構が洗浄タンク内の洗浄水に水没した状態でなければならない。このため、洗浄タンク内に貯留した洗浄水を有効に便器洗浄に利用するためには、ジェットポンプ機構は洗浄タンクの底面の近傍に配置しなければならない。
【０００８】
ジェットポンプ機構を洗浄タンクの底面の近傍に配置し、洗浄タンクを便器本体の上面よりも低い位置に配置した場合、ジェットポンプ機構と便器本体とを連通する便器給水路が長くなり、かつ、便器給水路の昇り勾配が急になるおそれがある。便器給水路が長くなったり、便器給水路の昇り勾配が急になったりすると、便器給水路を通過する洗浄水の圧力損失が大きくなり、便器本体に供給する洗浄水の流量が低下してしまうため、便器洗浄が不充分になるおそれがある。
【０００９】
本発明は、上記従来の実情に鑑みてなされたものであって、設置位置の自由度があり、便器洗浄を良好に行うことができる便器洗浄装置、及びその便器洗浄装置を備えた水洗式便器を提供することを解決すべき課題としている。
【課題を解決するための手段】
【００１０】
本発明の便器洗浄装置は、便器本体に洗浄水を供給する便器洗浄装置であって、
洗浄水が流入し、流入した洗浄水を貯留する第１タンクと、
前記第１タンクの下部から洗浄水が流入する流入口、及びこの流入口より上方に設け、前記便器本体に連通する流出口を有しており、前記便器本体に洗浄水を供給する際、前記第１タンクから前記流入口を介して空気が流入しない状態では前記第１タンク内の洗浄水の水圧の影響を受けて、洗浄水を満水状態に維持する第２タンクと、
この第２タンク内に前記流出口と隙間を空けて対向する位置に配置し、前記流出口に向けて洗浄水を噴射する噴射ノズルを有するジェットポンプ機構と、
前記流出口と前記便器本体とを連通する便器給水路とを備えていることを特徴とする。
【００１１】
この便器洗浄装置では、第２タンクの流入口を第１タンクの下部から洗浄水が流入することができるように設けている。このため、第１タンク内の洗浄水の水位が第２タンクの流入口より下方に低下するまでは、第１タンクから流入口を介して第２タンク内に空気が流入せず、その状態では、第１タンク内の洗浄水の水圧の影響を受けて第２タンクは洗浄水を満水状態に維持することができる。つまり、第１タンク内の洗浄水のほとんどを第２タンク内に流入させることができる。第２タンク内に流入した洗浄水は、ジェットポンプ機構によって便器給水路を介して便器本体に供給されるため、便器本体に大流量の洗浄水を供給することができる。このように、この便器洗浄装置は、第１タンク及び第２タンクに貯留した洗浄水のほとんどを利用し、便器洗浄を良好に行うことができる。
【００１２】
また、第１タンク内の洗浄水のほとんどが第２タンク内に流入するまでの間、第２タンクを洗浄水で満水状態に維持することができる。このため、ジェットポンプ機構を第２タンクの上部に配置しても、第１タンク内の洗浄水のほとんどが第２タンク内に流入するまで、ジェットポンプ機構は第２タンク内の洗浄水を引き込むことができ、便器給水路に送水することができる。
【００１３】
ジェットポンプ機構を第２タンクの上部に配置することができるため、便器洗浄装置（第１タンク及び第２タンク）を便器本体の上面よりも低い位置に配置した場合でも、便器給水路は長くならず、また、便器給水路の昇り勾配が急にならないため、便器給水路を通過する洗浄水の圧力損失を少なくすることができる。このため、便器本体に大流量の洗浄水を供給することができる。また、この便器洗浄装置は第１タンク及び第２タンクに貯留した洗浄水のほとんどを便器本体に供給することができる。
【００１４】
したがって、本発明の便器洗浄装置は、設置位置の自由度があり、便器洗浄を良好に行うことができる。
【００１５】
前記流出口は前記第２タンクの上部に貫設し、前記噴射ノズルは前記第２タンク内の上部に設けられ得る。この場合、便器洗浄装置を便器本体の上面よりも低い位置に配置しても、ジェットポンプ機構によって、大流量の洗浄水を便器本体に供給することができる。このため、この便器洗浄装置を備えることによってローシルエットの水洗式便器を実現することができる。
【００１６】
前記噴射ノズルは、前記第１タンクから前記流入口を介して前記第２タンク内に空気が流入し、前記第２タンク内の水位が低下するまで洗浄水を噴射し得る。この場合、第１タンクから流入口を介して第２タンク内に空気が流入すると、第２タンク内の水位が急激に低下し、ジェットポンプ機構が第２タンク内の洗浄水を引き込むことができなくなるため、噴射ノズルは洗浄水の噴射を終了する。噴射ノズルへの洗浄水の給水圧力が変動した場合、噴射する洗浄水の流量が変動するため、ジェットポンプ機構に引き込まれる第２タンク内の洗浄水の流量も変動してしまう。このように、噴射ノズルへの洗浄水の給水圧力が変動すると、便器本体に供給する洗浄水の流量が変動してしまうが、この便器洗浄装置は、便器本体に供給する洗浄水の水量を略一定にすることができる。
【００１７】
つまり、第２タンク内の水位が低下するまでにジェットポンプ機構に引き込まれる洗浄水の水量は、第２タンクの外側であって第１タンク内に貯留された洗浄水の水量と等しいため、略一定である。ジェットポンプ機構が一定水量の洗浄水を引き込む際、噴射ノズルから噴射する洗浄水の流量が少なければ、噴出時間は長くなり、噴射ノズルから噴射する洗浄水の流量が多ければ、噴出時間は短くなる。このように、ジェットポンプ機構が一定水量の洗浄水を引き込むには、噴射ノズルから噴射する洗浄水の水量も略一定の水量を噴出することになる。このため、噴射ノズルから噴射する洗浄水の流量が変動し、引き込まれる第２タンク内の洗浄水の流量が変動することによって、便器本体に供給する洗浄水の流量が変動しても、便器洗浄装置が便器本体に供給する洗浄水の水量を略一定にすることができる。
【００１８】
前記第１タンクから前記流入口を介して前記第２タンクに空気が流入を開始する水位を変更し得る。この場合、第１タンクから流入口を介して第２タンクに空気が流入を開始する水位を変更することによって、便器本体に供給する洗浄水の水量を変更することができる。つまり、第１タンクから流入口を介して第２タンクに空気が流入を開始する水位を低くすると、第２タンク内の洗浄水の水位の低下時期が遅くなり、ジェットポンプ機構が第２タンク内の洗浄水を長い間引き込むことができる。このため、便器洗浄装置が便器本体に供給する洗浄水の水量を多くすることができる。一方、第１タンクから流入口を介して第２タンクに空気が流入を開始する水位を高くすると、第２タンク内の洗浄水の水位の低下時期が早くなり、ジェットポンプ機構が第２タンク内の洗浄水を早期に引き込むことができなくなる。このため、便器洗浄装置が便器本体に供給する洗浄水の水量を少なくすることができる。このように、この便器洗浄装置は、便器本体に供給する洗浄水の水量を容易に変更することができるため、便器洗浄水量の相違する複数種類の便器本体に容易に対応することができる。
【００１９】
前記第１タンクの下部と前記噴射ノズルとを連通する連通路と、この連通路に設けられ、前記第１タンク内に貯留した洗浄水を前記噴射ノズルへ送水する送水機構とを備え得る。この場合、噴射ノズルへ送水機構を利用して洗浄水を送水するため、噴射ノズルへ安定した高水圧の洗浄水を送水することができる。このため、ジェットポンプ機構が第２タンクの洗浄水を強力に引き込み、便器給水路を介して大流量の洗浄水を安定的に便器本体に供給することができる。
【００２０】
本発明の水洗式便器は、便器本体と、上記便器洗浄装置とを備えていることを特徴とする。この場合、この水洗式便器は、上述したように便器洗浄装置の設置位置の自由度があり、便器洗浄を良好に行うことができる。
【図面の簡単な説明】
【００２１】
【図１】実施例１の水洗式便器を示す概略図である。
【図２】実施例１の水洗式便器の便器洗浄状態を示す概略図である。
【図３】実施例１の水洗式便器において、便器本体へ洗浄水の供給を終了する状態を示す概略図である。
【図４】実施例１の水洗式便器において、第１タンク及び第２タンクに洗浄水を貯留する状態を示す概略図である。
【図５】実施例２の便器洗浄装置を示す概略図である。
【図６】実施例３の便器洗浄装置を示す概略図である。
【図７】実施例４の水洗式便器を示す概略図である。
【発明を実施するための形態】
【００２２】
本発明の便器洗浄装置を備えた水洗式便器を具体化した実施例１〜４を図面を参照しつつ説明する。
【００２３】
＜実施例１＞
実施例１の水洗式便器は、図１に示すように、便器本体１０と、便器本体１０に洗浄水を供給する便器洗浄装置２０とを備えている。便器本体１０は、便鉢部１１と、便鉢部１１の下流側に連通する便器排水路１２とを有している。
【００２４】
便器洗浄装置２０は、便器本体１０の後方であって、便器本体１０の上面より低い位置に配置している。このため、この水洗式便器はローシルエットを実現している。この便器洗浄装置２０は、第１タンク２１、第２タンク２２、ジェットポンプ機構２３、及び便器給水路２４を備えている。第１タンク２１は給水源である水道管に連通したタンク給水路２５を介して洗浄水が流入する。タンク給水路２５は下流端に設けられたタンク給水用バルブ２５Ｖを有している。第１タンク２１は、タンク給水路２５を介して流入した洗浄水を貯留することができる。
【００２５】
第２タンク２２は第１タンク２１内に配置している。この第２タンク２２は第１タンク２１内の下部の近傍で下方に向けて開放した流入口２２Ａを有している。また、この第２タンク２２は上端部に流出口２２Ｂを有している。第２タンク２２は後述する噴射ノズル２６へ洗浄水を供給する分岐給水路２７が上面から水密状に挿入されている。流出口２２Ｂの開口面積は噴射ノズル２６の噴射口２６Ａの開口面積より大きく形成されている。
【００２６】
便器給水路２４は流出口２２Ｂと便器本体１０とを連通している。この便器給水路２４は流出口２２Ｂの開口縁から連続して延びている。このため、便器給水路２４の流路面積は噴射ノズル２６の噴射口２６Ａの開口面積より大きく形成されている。また、便器給水路２４は、便器本体１０の後端上部に至るまで斜め上方を向いた昇り勾配を有しており、下流端の吐水口２４Ａが便器本体１０の便鉢部１１の上部周縁に沿って洗浄水を吐水するように配置されている。このため、便器給水路２４の吐水口２４Ａから吐水された洗浄水は、便鉢部１１の表面に沿って一方向流れ、便鉢部１１内に旋回流を形成することができる。
【００２７】
また、第２タンク２２の流出口２２Ｂが第２タンク２２の上端部に形成されているため、便器給水路２４は長くならず、また、便器給水路２４は昇り勾配が急にならない。このため、便器給水路２４を通過する洗浄水の圧力損失を少なくすることができる。
【００２８】
ジェットポンプ機構２３は、第２タンク２２内であって、第２タンク２２の流出口２２Ｂと隙間を空けて対向する位置に配置した噴射ノズル２６を有している。ジェットポンプ機構２３は第２タンクの流出口２２Ｂと噴射ノズル２６とから構成されている。この噴射ノズル２６は、第２タンク２２内の上部に設けられており、噴出した洗浄水が便器給水路２４に沿って流れるように洗浄水の噴出方向を流出口２２Ｂに向けている。このように、ジェットポンプ機構２３は第２タンク２２の上部に配置されている。噴射ノズル２６はタンク給水路２５を分岐した分岐給水路２７を介して洗浄水が流入する。分岐給水路２７は噴射ノズル用バルブ２７Ｖを有している。
【００２９】
次に、このような構成を有する水洗式便器の便器洗浄工程を説明する。
【００３０】
便器洗浄前の待機状態は、図１及び図４に示すように、タンク給水路２５から流入した洗浄水が第１タンク２１内に流入する。さらに、洗浄水が第１タンク２１の下部から第２タンク２２の流入口２２Ａを介して第２タンク２２内にも流入する。このようにして、水洗式便器は第１タンク２１及び第２タンク２２に洗浄水を貯留した便器洗浄前の待機状態となる。この待機状態ではタンク給水用バルブ２５Ｖ及び噴射ノズル用バルブ２７Ｖは閉弁している。
【００３１】
また、便器洗浄前の待機状態では、第１タンク２１の上方に開口する開口面積に比べ、便器給水路２４の下流端の開口面積が小さいため、第１タンク２１内の洗浄水の水圧によって、第２タンク２２から下流側に連通する便器給水路２４内まで洗浄水が流入している。つまり、第２タンク２２は洗浄水で満水状態であり、第２タンク２２の外側の第１タンク２１内の洗浄水の水位よりも高い位置まで便器給水路２４内の洗浄水の水位が上昇している。
【００３２】
次に、便器洗浄を開始すると、図２に示すように、噴射ノズル用バルブ２７Ｖが開弁し、噴射ノズル２６の噴射口２６Ａから洗浄水を噴射し、第２タンク２２内の洗浄水を引き込む。噴射ノズル２６の噴射口２６Ａから噴射した洗浄水に引き込まれた第２タンク２２内の洗浄水が合流し、流出口２２Ｂ及び便器給水路２４を介して便器本体１０に供給される。この際、噴射ノズル２６の噴射口２６Ａから噴出する洗浄水の流量の約３〜４倍の流量の洗浄水を便器本体１０に供給することができる。
【００３３】
この便器洗浄装置２０は、ジェットポンプ機構２３を第２タンク２２の上部に配置しているため、便器給水路２４が長くならず、また、便器給水路２４の昇り勾配が急にならない。このため、便器給水路２４を通過する洗浄水の圧力損失を少なくすることができ、この便器洗浄装置２０は便器本体１０に大流量の洗浄水を供給することができる。
【００３４】
ジェットポンプ機構２３によって、第２タンク２２内の洗浄水が引き込まれ、便器本体１０に大流量の洗浄水が供給され始めると同時に、第１タンク２１の下部の洗浄水が第２タンク２２の流入口２２Ａを介して第２タンク２２内に流入するため、第１タンク２１内の洗浄水の水位は低下する。この際、第２タンク２２内の洗浄水は、第１タンク２１内の洗浄水の水圧の影響を受けるため、第２タンク２２内は洗浄水で満水状態に維持される。このため、ジェットポンプ機構２３は第２タンク２２内の洗浄水に水没した状態を維持することができる。よって、ジェットポンプ機構２３は、第２タンク２２内の洗浄水を引き込み続けることができ、便器本体１０に大流量の洗浄水を供給し続けることができる。
【００３５】
さらに便器洗浄を継続すると、図３に示すように、第１タンク２１内の洗浄水の水位がさらに低下し、第１タンク２１内の洗浄水の水位が第２タンク２２の流入口２２Ａより低下する。すると、第１タンク２１から第２タンク２２の流入口２２Ａを介して第２タンク２２内に空気が流入し、第２タンク２２内の洗浄水の水位が一気に低下する。このため、ジェットポンプ機構２３が第２タンク２２内で露出してしまい、ジェットポンプ機構２３は洗浄水を引き込むことができなくなる。
【００３６】
便器洗浄装置２０は、第２タンク２２内の水位を検知する図示しない水位センサー（例えば、フロートセンサー）を有しており、この水位センサーが第２タンク２２内の水位の低下を検知すると、噴射ノズル用バルブ２７Ｖを閉弁する。このようにして、便器本体１０への洗浄水の供給を終了する。つまり、噴射ノズル２６は、第１タンク２１から流入口２２Ａを介して第２タンク２２内に空気が流入し、第２タンク２２内の水位が低下するまで洗浄水を噴射することになる。
【００３７】
噴射ノズル２６への洗浄水の給水圧力が変動した場合、噴射する洗浄水の流量が変動するため、ジェットポンプ機構２３に引き込まれる第２タンク２２内の洗浄水の流量も変動してしまう。このように、噴射ノズル２６への洗浄水の給水圧力が変動すると、便器本体１０に供給する洗浄水の流量が変動してしまうが、この水洗式便器の便器洗浄装置２０は、便器本体１０に供給する洗浄水の水量を略一定にすることができる。
【００３８】
つまり、第２タンク２２内の水位が低下するまでにジェットポンプ機構２３に引き込まれる洗浄水の水量は、第２タンク２２の外側であって第１タンク２１内に貯留された洗浄水の水量と等しいため、略一定である。ジェットポンプ機構２３が一定水量の洗浄水を引き込む際、噴射ノズル２６の噴射口２６Ａから噴射する洗浄水の流量が少なければ、噴射時間は長くなり、噴射ノズル２６の噴射口２６Ａから噴射する洗浄水の流量が多ければ、噴出時間は短くなる。このように、ジェットポンプ機構２３が一定水量の洗浄水を引き込むには、噴射ノズル２６の噴射口２６Ａから噴射する洗浄水の水量も略一定の水量を噴射することになる。このため、噴射ノズル２６の噴射口２６Ａから噴射する洗浄水の流量が変動し、引き込まれる第２タンク２２内の洗浄水の流量が変動することによって、便器本体１０に供給する洗浄水の流量が変動しても、便器洗浄装置２０が便器本体１０に供給する洗浄水の水量を略一定にすることができる。
【００３９】
その後、図４に示すように、タンク給水用バルブ２５Ｖを開弁し、タンク給水路２５から洗浄水を第１タンク２１内に流入させ、第１タンク２１及び第２タンク２２に洗浄水を貯留することによって、図１に示すように、水洗式便器を便器洗浄前の待機状態に復帰させる。このようにして、便器洗浄工程の１サイクルを終了する。
【００４０】
この水洗式便器は、便器洗浄装置２０を便器本体１０の後方であって、便器本体１０の上面より低い位置に配置し、ローシルエットを実現するとともに、ジェットポンプ機構２３を第２タンク２２の上部に配置することによって、便器給水路２４が長くならず、かつ、便器給水路２４の昇り勾配が急にならないため、便器給水路２４における洗浄水の圧力損失を少なくし、便器本体１０に大流量の洗浄水を供給することができる。また、便器洗浄装置２０は、第１タンク２１内の洗浄水のほとんどが第２タンク２２内に流入するまで、ジェットポンプ機構２３が第２タンク２２内の洗浄水を引き込むことができ、便器本体１０に大流量の洗浄水を供給することができる。つまり、この水洗式便器は、第１タンク２１及び第２タンク２２に貯留した洗浄水のほとんどを利用することができる。
【００４１】
したがって、実施例１の水洗式便器は、便器洗浄装置２０の設置位置の自由度があり、便器洗浄を良好に行うことができる。
【００４２】
＜実施例２＞
実施例２の水洗式便器は、図５に示すように、便器洗浄装置３０の第２タンク３１が側面３１Ａを蛇腹状に形成し、第１タンク２１から流入口３１Ａを介して第２タンク３１に空気の流入を開始する水位を変更することができる点で、実施例１と相違する。他の構成は実施例１と同様であり、同一の構成は同一の符号を付し、詳細な説明を省略する。
【００４３】
この水洗式便器の便器洗浄装置３０は、第２タンク３１の側面３１Ｂの蛇腹部分を伸縮させることによって、第１タンク２１から流入口３１Ａを介して第２タンク３１に空気が流入を開始する水位を変更することができるため、便器本体１０に供給する洗浄水の水量を変更することができる。
【００４４】
つまり、図５（Ａ）に示すように、第２タンク３１の側面３１Ｂの蛇腹部分を伸ばして、第２タンク３１の流入口３１Ａを第１タンク２１の下部に配置する。これによって、第１タンク２１から流入口３１Ａを介して第２タンク３１に空気が流入を開始する水位を低くすることができる。すると、便器洗浄を開始した後、第２タンク３１内の洗浄水の水位の低下時期を遅くすることができるため、ジェットポンプ機構２３が第２タンク３１内の洗浄水を長い間引き込むことができる。このため、便器洗浄装置３が便器本体１０に供給する洗浄水の水量を多くすることができる。つまり、第１タンク２１及び第２タンク３１に貯留した洗浄水のうち、流入口３１Ａより上側であって、第２タンク３１の外側の第１タンク２１内に貯留された水量（図５（Ａ)に示すＸ部分）に相当する水量を便器本体１０に供給することができる。
【００４５】
一方、図５（Ｂ）に示すように、第２タンク３１の側面３１Ｂの蛇腹部分を縮めて、第２タンク３１の流入口３１Ａを高い位置にする。これによって、第１タンク２１から流入口３１Ａを介して第２タンク３１に空気が流入を開始する水位を高くすることができる。すると、便器洗浄を開始した後、第２タンク３１内の洗浄水の水位の低下が早くなるため、ジェットポンプ機構２３が第２タンク３１内の洗浄水を早期に引き込むことができなくなる。このため、便器洗浄装置３０が便器本体１０に供給する洗浄水の水量を少なくすることができる。つまり、第１タンク２１及び第２タンク３１に貯留した洗浄水のうち、流入口３１Ａより上側であって、第２タンク３１の外側の第１タンク２１内に貯留された水量（図５（Ｂ)に示すＹ部分）に相当する水量（第２タンク３１の側面３１Ｂの蛇腹部分を伸ばした場合より少ない水量）を便器本体１０に供給することができる。
【００４６】
このように、実施例２の水洗式便器の便器洗浄装置３０は、便器本体１０に供給する洗浄水の水量を容易に変更することができるため、便器洗浄水量の相違する複数種類の便器本体１０に容易に対応することができる。
【００４７】
＜実施例３＞
実施例３の水洗式便器は、図６に示すように、側面の縦寸法が相違する複数の第２タンク４１、４２を取り換えることができる便器洗浄装置４０である点で、実施例１と相違する。他の構成は実施例１と同様であり、同一の構成は同一の符号を付し、詳細な説明を省略する。
【００４８】
この水洗式便器の便器洗浄装置４０は、側面の縦寸法が相違する第２タンク４１、４２を取り換えることによって、第１タンク２１から流入口４１Ａ、４２Ａを介して第２タンク４１、４２に空気が流入を開始する水位を変更することができるため、便器本体１０に供給する洗浄水の水量を変更することができる。
【００４９】
つまり、図６（Ａ）に示すように、側面の縦寸法が長い第２タンク４１を第１タンク２１内に取り付けることによって、第２タンク４１の流入口４１Ａを第１タンク２１の下部に配置する。これによって、第１タンク２１から流入口４１Ａを介して第２タンク４１に空気が流入を開始する水位を低くすることができる。すると、便器洗浄を開始した後、第２タンク４１内の洗浄水の水位の低下時期を遅くすることができるため、ジェットポンプ機構２３が第２タンク４１内の洗浄水を長い間引き込むことができる。このため、便器洗浄装置４０が便器本体１０に供給する洗浄水の水量を多くすることができる。つまり、第１タンク２１及び第２タンク４１に貯留した洗浄水のうち、流入口４１Ａより上側であって、第２タンク４１の外側の第１タンク２１内に貯留された水量（図６（Ａ)に示すＸ部分）に相当する水量を便器本体１０に供給することができる。
【００５０】
一方、図６（Ｂ）に示すように、側面の縦寸法が短い第２タンク４２を第１タンク２１内に取り付けることによって、第２タンク４２の流入口４２Ａを高い位置にする。これによって、第１タンク２１から流入口４２Ａを介して第２タンク４２に空気が流入を開始する水位を高くすることができる。すると、便器洗浄を開始した後、第２タンク４２内の洗浄水の水位の低下が早くなるため、ジェットポンプ機構２３が第２タンク４２内の洗浄水を早期に引き込むことができなくなる。このため、便器洗浄装置４０が便器本体１０に供給する洗浄水の水量を少なくすることができる。つまり、第１タンク２１及び第２タンク４２に貯留した洗浄水のうち、流入口４２Ａより上側であって、第２タンク４２の外側の第１タンク２１内に貯留された水量（図６（Ｂ)に示すＹ部分）に相当する水量（側面の縦寸法が長い第２タンク４１を取り付けた場合より少ない水量）を便器本体１０に供給することができる。
【００５１】
このように、実施例３の水洗式便器の便器洗浄装置４０は、便器本体１０に供給する洗浄水の水量を容易に変更することができるため、便器洗浄水量の相違する複数種類の便器本体１０に容易に対応することができる。
【００５２】
＜実施例４＞
実施例４の水洗式便器は、図７に示すように、便器洗浄装置５０が第１タンク２１の下部と噴射ノズル２６とを連通する連通路２８と、この連通路２８に設けられ、第１タンク２１内に貯留した洗浄水を噴射ノズル２６へ送水する送水機構であるポンプＰとを備えている点で、実施例１と相違する。他の構成は実施例１と同様であり、同一の構成は同一の符号を付し、詳細な説明を省略する。
【００５３】
この水洗式便器は、便器洗浄工程において、便器洗浄を開始すると、ポンプＰを駆動して噴射ノズル２６の噴射口２６Ａから第１タンク２１に貯留した洗浄水を噴射し、第２タンク２２内の洗浄水を引き込む。噴射ノズル２６へポンプＰを利用して洗浄水を送水するため、噴射ノズル２６へ安定した高水圧の洗浄水を送水することができる。このため、ジェットポンプ機構２３が第２タンク２２の洗浄水を強力に引き込み、便器給水路２４を介して大流量の洗浄水を安定的に便器本体１０に供給することができる。
【００５４】
本発明は上記記述及び図面によって説明した実施例に限定されるものではなく、例えば次のような実施例も本発明の技術的範囲に含まれる。
（１）実施例１〜４では、第１タンク内に第２タンクを配置しているが、第１タンクと第２タンクとを隣り合わせに配置し、夫々の下部を接続する接続路を設けてもよい。
（２）実施例１〜４では、第２タンクが便器給水路よりも流路面積を大きくしているが、第２タンクの流路面積を便器給水路の流路面積と同じにしてもよい。
（３）実施例１〜４では、第２タンクの上端部に流出口を設け、便器給水路を連結しているが、流出口は流入口より高い位置であればよい。
（４）実施例１〜４では、便器給水路を便鉢部の上部に連通し、洗浄水を便鉢部の表面に吐水するようにしているが、便器給水路の下流端の吐水口を便鉢部の下端又は便器排水路の上流端部に設け、便器排水路に沿って洗浄水を吐水するようにしてもよい。
（５）実施例１〜４では、第１タンク内の洗浄水の水位が第２タンクの流入口より低下し、第２タンク内の洗浄水の水位が低下すると噴射ノズルへの洗浄水の供給を終了するが、第１タンク内の洗浄水の水位が第２タンクの流入口より上方であるときに、噴射ノズルへの洗浄水の供給を終了してもよい。
【符号の説明】
【００５５】
１０…便器本体
２０、３０、４０、５０…便器洗浄装置
２１…第１タンク
２２、３１、４１、４２…第２タンク
２２Ａ、３１Ａ、４１Ａ、４２Ａ…流入口
２２Ｂ…流出口
２３…ジェットポンプ機構
２４…便器給水路
２６…噴射ノズル
２８…連通路
Ｐ…ポンプ（送水機構）
【図１】
0005721575.tif 000002
【図２】
0005721575.tif 000003
【図３】
0005721575.tif 000004
【図４】
0005721575.tif 000005
【図５】
0005721575.tif 000006
【図６】
0005721575.tif 000007
【図７】
0005721575.tif 000008